(57)【要約】【課題】音声通話中にリモコンのスピーカから雑音が出力されずに、リモコン同士で雑音の無い音声通話が可能となる給湯装置を提供する。【解決手段】給湯器本体２と、複数のリモコン３，４とを備え、リモコン３，４のそれぞれが、マイク３７，４７とスピーカ３６，４６と制御部３１，４１とを有し、制御部３１，４１が、リモコン同士３，４又はリモコン３，４と給湯器本体２との間のデジタルのデータ信号を振幅偏移変調方式で送受信するように制御するとともに、リモコン３，４同士間での送受話を制御し、制御部３１，４１は、一方のリモコン３が送話中であり他方のリモコン４が受話中である場合に、受話中のリモコン４がデータ信号を受信したときに、所定時間にわたって受話中のリモコン４のスピーカ４６をオフにする。【選択図】図２
2018091520.tif 000002
【特許請求の範囲】
【請求項１】
給湯器本体（２）と、複数のリモコン（３，４）とを備え、
前記リモコン（３，４）のそれぞれが、マイク（３７，４７）とスピーカ（３６，４６）と制御部（３１，４１）とを有し、
前記制御部（３１，４１）が、リモコン（３，４）同士又はリモコン（３，４）と給湯器本体（２）との間のデジタルのデータ信号を振幅偏移変調方式で送受信するように制御するとともに、リモコン（３，４）同士間での送受話を制御し、
前記制御部（３１，４１）は、一方のリモコン（３）が送話中であり他方のリモコン（４）が受話中である場合に、前記受話中のリモコン（４）が前記データ信号を受信したときに、所定時間にわたって前記受話中のリモコン（４）の前記スピーカ（４６）をオフにすることを特徴とする給湯装置。
【請求項２】
請求項１において、
前記制御部（３１，４１）は、前記データ信号のスタートビットの受信を検出したときに、前記受話中のリモコン（４）の前記スピーカ（４６）をオフにすることを特徴とする給湯装置。
【請求項３】
請求項１又は請求項２において、
前記制御部（３１，４１）は、前記受話中のリモコン（４）が前記データ信号を送信したときに、前記受話中のリモコン（４）の前記スピーカ（４６）をオフにすることを特徴とする給湯装置。
【請求項４】
請求項１から請求項３のいずれか１項において、
前記制御部（３１，４１）は、前記受話中のリモコン（４）に記憶されているガイダンス音を再生するときには、前記受話中のリモコン（４）の前記スピーカ（４６）をオフにしないことを特徴とする給湯装置。
【発明の詳細な説明】
【技術分野】
【０００１】
この発明は、給湯器本体とリモートコントローラとを備える給湯装置に関する。
【背景技術】
【０００２】
給湯器本体と、該給湯器本体を遠隔操作するための複数のリモートコントローラ（以下、単にリモコンという。）とを備える給湯装置がある。給湯器本体と複数のリモコンとは、例えば有線の通信回線で接続されており、給湯器本体と複数のリモコンとの間では、給湯運転や追い焚き運転などを制御するために双方向のデータ通信が行われている。
【０００３】
そして、データ通信が行われる通信回線を用いて、複数のリモコン同士の間で、音声通話できる（インターホン機能を有する）ように構成された給湯装置が開示されている（例えば、特許文献１を参照）。
【先行技術文献】
【特許文献】
【０００４】
【特許文献１】特開２００１−１２８２５９号公報
【発明の概要】
【発明が解決しようとする課題】
【０００５】
特許文献１は、音声通話中にデータ通信を停止させ、音声通話中にデータ通信の必要性が生じた場合には、一時的にデータ通信を行うことを開示する。しかしながら、データ通信を行う周波数と音声通話を行う周波数とが比較的近いため、音声通話中にデータ通信を行うと、データ通信のノイズが通話信号に重畳され、リモコンのスピーカから雑音が出力され、使用者に不快な思いをさせることがある。
【０００６】
したがって、この発明の解決すべき技術的課題は、音声通話中にリモコンのスピーカから雑音が出力されずに、リモコン同士で雑音の無い音声通話が可能となる給湯装置を提供することである。
【課題を解決するための手段】
【０００７】
上記技術的課題を解決するために、この発明によれば、以下の給湯装置が提供される。
【０００８】
すなわち、この発明に係る給湯装置は、
給湯器本体と、複数のリモコンとを備え、
前記リモコンのそれぞれが、マイクとスピーカと制御部とを有し、
前記制御部が、リモコン同士又はリモコンと給湯器本体との間のデジタルのデータ信号を振幅偏移変調方式で送受信するように制御するとともに、リモコン同士間での送受話を制御し、
前記制御部は、一方のリモコンが送話中であり他方のリモコンが受話中である場合に、前記受話中のリモコンが前記データ信号を受信したときに、所定時間にわたって前記受話中のリモコンの前記スピーカをオフにすることを特徴とする。
【０００９】
この発明の給湯装置によれば、制御部によって、受話中の他方のリモコンがデータ信号を受信したときに、所定時間にわたって受話中の他方のリモコンのスピーカがオフにされるので、受話中の他方のリモコンのスピーカから雑音が出力されず、リモコン同士で雑音の無い音声通話が可能となる。
【００１０】
また、一実施形態の給湯装置では、前記制御部は、前記データ信号のスタートビットの受信を検出したときに、前記受話中のリモコンの前記スピーカをオフにする。
【００１１】
上記実施形態の給湯装置によれば、データ信号を受信したら直ちに受話中の他方のリモコンのスピーカがオフにされるので、スピーカから雑音が出力されるのを初めから防止できる。
【００１２】
また、一実施形態の給湯装置では、前記制御部は、前記受話中のリモコンが前記データ信号を送信したときに、前記受話中のリモコンの前記スピーカをオフにする。
【００１３】
上記実施形態の給湯装置によれば、受話中の他方のリモコン自身がデータ信号を送信することによって生じるノイズに起因した雑音が、受話中の他方のリモコンのスピーカから出力されるのが防止される。
【００１４】
また、一実施形態の給湯装置では、前記制御部は、前記受話中のリモコンに記憶されているガイダンス音を再生するときには、前記受話中のリモコンの前記スピーカをオフにしない。
【００１５】
上記実施形態の給湯装置によれば、ガイダンス音が、受話中の他方のリモコン自身に記憶されているためリモコン同士間での送受話に直接的に関係しないので、リモコンの音声通話に係る制御が簡略化される。
【発明の効果】
【００１６】
この発明の給湯装置によれば、制御部によって、受話中の他方のリモコンがデータ信号を受信したときに、所定時間にわたって受話中の他方のリモコンのスピーカがオフにされるので、受話中の他方のリモコンのスピーカから雑音が出力されず、リモコン同士で雑音の無い音声通話が可能となる。
【図面の簡単な説明】
【００１７】
【図１】この発明の給湯装置の構成を示すブロック図。
【図２】一実施形態に係る、リモコン同士間での送受話の制御を説明するフローチャート。
【図３】他の実施形態に係る、リモコン同士間での送受話の制御を説明するフローチャート。
【発明を実施するための形態】
【００１８】
以下に、この発明の給湯装置１を図示の実施の形態により詳細に説明する。
【００１９】
図１に示すように、この給湯装置１は、給湯器本体２と、複数のリモコン３，４とを備えている。給湯器本体２は、例えば、貯湯式のものであり、図示しない貯湯ユニットと、加熱手段としてのヒートポンプユニットと、ポンプ類と、弁類などとから構成されている。
【００２０】
給湯器本体２は、複数のリモコン３，４によって遠隔操作可能である。複数のリモコン３，４は、一方のリモコン３及び他方のリモコン４であり、例えば、浴室リモコン、台所リモコン及び増設リモコンなどのいずれかに相当する。浴室リモコンは浴室の壁に設置され、台所リモコンは台所の壁に設置され、増設リモコンはそれ以外の部屋に設置される。図１には、一方のリモコン３及び他方のリモコン４の２台を図示しているが、リモコンの台数はこれに限定されるものではなく、３台あるいは４台以上でもよい。一方のリモコン３及び他方のリモコン４は、設置される場所に応じて操作部や表示部の配置などが異なるが、リモコンとしての基本構成は両者とも共通している。
【００２１】
一方のリモコン３は、制御部３１と、通信部３２と、操作部３３と、表示部３４と、記憶部３５と、スピーカ３６と、マイク３７とを備えている。
【００２２】
制御部３１は、マイクロコンピュータ（ＣＰＵ）を備えており、操作部３３を通じて設定された情報に基づいて、給湯器本体２のポンプ類及び弁類などを制御して、給湯運転や沸き上げ運転や追い焚き運転などにおける各種動作を制御する。制御部３１は、具体的には、操作部３３の操作内容に応じて給湯器本体２や他のリモコン４に与える制御データ（すなわち、データ通信）の信号（制御信号）を生成したり、給湯器本体２や他のリモコン４から与えられる制御信号に基づいて表示部３４の表示制御や、一方のリモコン３の設定（たとえば、給湯設定温度など）を変更したりするようになっている。そして、制御部３１は、データ通信に関する処理や音声による送受話に関する処理を実行するように構成されている。制御部３１は、或る操作又は動作が行われてからの経過時間を計測するための機能を備えている。当該機能は、例えば受話中のリモコンのスピーカをオフにするための時間を決めるときに使用される。
【００２３】
通信部３２は、制御部３１の指示に応じて、給湯器本体２と他方のリモコン４との間でのデータ通信の信号を通信するとともに、他方のリモコン４との送受話の音声信号を通信するためのものである。
【００２４】
操作部３３は、使用者による入力操作を受け付けるための複数の操作ボタンから構成される。操作部３３は、インターホン操作するための通話ボタンを備える。なお、操作ボタンは、操作キー又は操作スイッチなどとすることができる。
【００２５】
表示部３４は、例えば液晶や有機ＥＬなどによる表示デバイスである。表示部３４は、例えば、貯湯タンク内に貯えられている湯の温度（貯湯温度）や貯湯量、給湯温度、時刻、沸き上げモードなどの情報を表示する。
【００２６】
マイク３７は、使用者からの音声入力を受け付けて音声信号に変換し、音声信号を増幅するマイクアンプと、増幅された音声信号を搬送波で周波数変調して送信する周波数変調回路とを備える。
【００２７】
スピーカ３６は、制御部３１からの指示に応じて音を出力し、インターホン機能による受話中の音声や、操作部３３の操作音や、使用者に対するガイダンス音を発生することができる。スピーカ３６は、変調された音声信号を復調する復調回路と、復調された音声信号を増幅してスピーカ３６に入力するスピーカアンプとを備える。
【００２８】
記憶部３５は、メモリ（例えば、ROM、RAM、EEPROMなど）である。記憶部３５は、さらに、複数のガイダンス音のデータを予め記憶しており、所定のプログラムに基づいて、使用者に対するガイダンス音をスピーカ３６から発生させるときに使用される。ガイダンス音は、給湯器本体２の状態や動作、注意点などを知らせるための音声ガイダンス（例えば、追い焚き運転が完了した際に「お風呂が追い焚きされました。」などの音声）やメロディー等の音である。
【００２９】
他方のリモコン４も、一方のリモコン３と同様に、制御部４１と、通信部４２と、操作部４３と、表示部４４と、記憶部４５と、スピーカ４６と、マイク４７とを備えている。これらの構成要素は一方のリモコン３のものと実質的に同じであるので、詳細な説明を省略する。なお、一方のリモコン３の構成に関する上記記載において、「他方のリモコン４」とあるのを「一方のリモコン３」に読み替えられる。
【００３０】
給湯装置１では、給湯器本体２と一方のリモコン３及び他方のリモコン４との間、及び、一方のリモコン３及び他方のリモコン４同士の間での制御データ等のデータ通信として、デジタル変調方式の１つである振幅偏移変調方式（Amplitude Shift Keying：ＡＳＫ）が利用されている。給湯装置１で送受信されるデータは、それほど高い伝送レートを必要としないので、ＡＳＫ通信での搬送波の周波数として、２００ｋＨｚ〜３００ｋＨｚの周波数が利用されている。
【００３１】
一方のリモコン３の通信部３２は、制御部３１から送出される送信シリアルデータに基づいてＡＳＫ通信での搬送波をデジタルの振幅偏移変調して給湯器本体２と他方のリモコン４とに送出する。他方のリモコン４の通信部４２は、制御部４１から送出される送信シリアルデータに基づいてＡＳＫ通信での搬送波をデジタルの振幅偏移変調して給湯器本体２と一方のリモコン３とに送出する。例えば、給湯器本体２の温度設定の変更を一方のリモコン３で行った場合、制御部３１は温度設定データを通信部３２に送り、通信部３２が通信回線６を介して当該データを送出する。送出された当該データは、他方のリモコン４及び給湯器本体２が受信する。
【００３２】
一方のリモコン３の通信部３２は、給湯器本体２と他方のリモコン４とから送出されたＡＳＫ通信での搬送波を検出し、これを受信シリアルデータに変換して制御部３１に送出する。他方のリモコン４の通信部４２は、給湯器本体２又は一方のリモコン３から送出されたＡＳＫ通信での搬送波を検出し、これを受信シリアルデータに変換して制御部４１に送出する。
【００３３】
制御データ（すなわち、データ通信）の信号（制御信号）は、一種のパケット通信の形式になっている。各パケットの先頭にはスタートビットを、スタートビットの後にはデータビットを、最後尾にはエンドビットを備えている。
【００３４】
一方のリモコン３及び他方のリモコン４のそれぞれは、通信回線６を通じて、スピーカ３６，４６及びマイク３７，４７を用いた音声通話を可能とするインターホン機能を有する。インターホン機能により、一方のリモコン３と他方のリモコン４との間で音声による送受話が可能である。一方のリモコン３と他方のリモコン４との間の送受話は、混信を防止するために通話方向毎に異なる２つの周波数帯域の音声信号搬送波を用いて周波数変調（ＦＭ）方式により行われる。
【００３５】
例えば、一方のリモコン３の制御部３１は、インターホン送話中、一方のリモコン３のマイク３７で検出された音声信号を、通信回線６を介して、他のリモコン４の制御部４１に送信する。このとき、他のリモコン４の制御部４１は、インターホン受話中、受信した音声信号に基づいて他のリモコン４のスピーカ４６から音声を発生させる。逆に、他方のリモコン４の制御部４１は、インターホン送話中、他方のリモコン４のマイク４７で検出された音声信号を、通信回線６を介して、一方のリモコン３の制御部３１に送信する。このとき、一方のリモコン３の制御部３１は、インターホン受話中、受信した音声信号に基づいて一方のリモコン３のスピーカ３６から音声を発生させる。このようなインターホン機能により、一方のリモコン３側の使用者と他のリモコン４側の使用者との間で、音声による相互の送受話が可能となる。
【００３６】
なお、一方のリモコン３及び他方のリモコン４が備えるインターホン機能は、通話ボタンを押しながら通話をするプレストーク方式、最初に通話ボタンを押せば、あとは通話ボタンを押さなくても通話が可能なハンズフリー方式とすることができる。
【００３７】
図２は、一実施形態に係る一方のリモコン３及び他方のリモコン４間での送受話の制御を説明するフローチャートである。
【００３８】
まず、音声通話を開始するために、一方のリモコン３の操作部３３の通話ボタンが押されると、制御部３１は、通話ボタンのオンを検知し、通信部３２に対して、通話開始のデータを送信し、一方のリモコン３が送話モードになる。他方のリモコン４は、通信部４２で通話開始のデータを受信して、他方のリモコン４が受話モードになる。
【００３９】
送話中の一方のリモコン３では、マイク３７が使用者からの音声を受ける。マイク３７で受けた音声は、音声通信回路上で音声信号に変換され、音声信号は、増幅されたあと搬送波で周波数変調されて通信部３２から通信回線６に送出される（ステップＳ２１）。
【００４０】
受話中の他方のリモコン４では、通信回線６に送られた音声信号が、通信部４２で検知されて復調され、復調された音声信号が増幅される。一方のリモコン３から送られた音声がスピーカ４６から出力される（ステップＳ２２）。
【００４１】
受話中の他方のリモコン４では、制御部４１が、一方のリモコン３及び他方のリモコン４の間、又は、他方のリモコン４と給湯器本体２との間に、データ通信の信号を受信したか否かを判定する（ステップＳ２３）。
【００４２】
受話中の他方のリモコン４では、ステップＳ２３において制御部４１がデータ通信の信号を受信したと判定すると、スピーカ４６からの出力がオフにされ（ステップＳ２４）、スピーカ４６からの音声出力が不可になる。スピーカ４６からの出力オフは、例えば、スピーカ４６の電源を一時的にオフにするか、スピーカ４６の出力音量を一時的にゼロにすることによって実行される。ステップＳ２３において、制御部４１が、データ通信の信号を受信していないと判定すると、スピーカ４６からの出力がオンにされる（ステップＳ２６）。
【００４３】
受話中の他方のリモコン４では、制御部４１が、データ通信の信号を受信してから所定時間を経過したか否かを判定する（ステップＳ２５）。ステップＳ２５において、所定時間を経過したか否かを判定するときの起点は、データ通信の信号のスタートビットが受信されたときとすることができるが、これに限定されるものではない。また、所定時間は、データ通信の信号を受信し終わるのに要する時間に基づいており、例えば、５０ミリ秒である。所定時間（すなわちスピーカ４６からの出力がオフになっている時間）が、非常に短いので、音声の受話の妨げになることが回避される。
【００４４】
ステップＳ２５において、制御部４１が、所定時間を経過したと判定すると、スピーカ４６からの出力がオンにされ（ステップＳ２６）、スピーカ４６からの音声出力が可能になる。ステップＳ２５において、制御部４１が、所定時間を経過していないと判定すると、ステップＳ２４に進んでスピーカ４６からの出力オフを継続する。
【００４５】
受話中の他方のリモコン４では、スピーカ４６からの音声出力が可能になった状態から、操作部４３の通話ボタンが短押しされるか、通話開始から一定時間が経過すると、制御部４１が通話終了の処理を行う。
【００４６】
上記構成の給湯装置１によれば、制御部４１によって、受話中の他方のリモコン４がデータ信号を受信したときに、所定時間にわたって他方のリモコン４のスピーカ４６がオフにされる。したがって、受話中の他方のリモコン４のスピーカ４６から雑音が出力されず、一方のリモコン３及び他方のリモコン４の間で雑音の無い音声通話が可能となる。
【００４７】
図３は、他の実施形態に係る一方のリモコン３及び他方のリモコン４間での送受話の制御を説明するフローチャートである。
【００４８】
まず、音声通話を開始するために、一方のリモコン３の操作部３３の通話ボタンが押されると、制御部３１は、通話ボタンのオンを検知し、通信部３２に対して、通話開始のデータを送信し、一方のリモコン３が送話モードになる。他方のリモコン４は、通信部４２で通話開始のデータを受信して、他方のリモコン４が受話モードになる。
【００４９】
送話中の一方のリモコン３では、マイク３７が使用者からの音声を受ける。マイク３７で受けた音声は、音声通信回路上で音声信号に変換され、音声信号は、増幅されたあと搬送波で周波数変調されて通信部３２から通信回線６に送出される（ステップＳ３１）。
【００５０】
受話中の他方のリモコン４では、通信回線６に送られた音声信号が、通信部４２で検知されて復調され、復調された音声信号が増幅される。一方のリモコン３から送られた音声がスピーカ４６から出力される（ステップＳ３２）。
【００５１】
受話中の他方のリモコン４では、制御部４１が、一方のリモコン３及び他方のリモコン４の間、又は、他方のリモコン４と給湯器本体２との間でのデータ通信の信号を受信したか否かを判定する（ステップＳ３３）。
【００５２】
受話中の他方のリモコン４では、制御部４１がデータ通信の信号を受信したと判定すると、スピーカ４６からの出力がオフにされ（ステップＳ３４）、スピーカ４６からの音声出力が不可になる。スピーカ４６からの出力オフは、例えば、スピーカ４６の電源を一時的にオフにするか、スピーカ４６の音量を一時的にゼロにすることによって実行される。ステップＳ３３において、制御部４１が、データ通信の信号を受信していないと判定すると、スピーカ４６からの出力がオンにされる（ステップＳ３６）。
【００５３】
受話中の他方のリモコン４では、制御部４１が、データ通信の信号を受信してから所定時間を経過したか否かを判定する（ステップＳ３５）。ステップＳ３５において、所定時間を経過したか否かを判定するときの起点は、データ通信の信号のスタートビットが受信されたときとすることができるが、これに限定されるものではない。また、所定時間は、データ通信の信号を受信し終わるのに要する時間に基づいており、例えば、５０ミリ秒である。所定時間（すなわちスピーカ４６からの出力がオフになっている時間）が、非常に短いので、音声の受話の妨げになることが回避される。
【００５４】
ステップＳ３５において、制御部４１が、所定時間を経過したと判定すると、スピーカ４６からの出力がオンにされ（ステップＳ３６）、スピーカ４６からの音声出力が可能になる。ステップＳ３５において、制御部４１が、所定時間を経過していないと判定すると、ステップＳ３４に進んでスピーカ４６からの出力オフを継続する。
【００５５】
制御部４１が、スピーカ４６からの出力がオンになった状態で、受話中の他方のリモコン４において操作部４３が操作されて、受話中の他方のリモコン４から一方のリモコン３又は給湯器本体２に向けてデータ通信の信号を送信したか否かを判定する（ステップＳ３７）。
【００５６】
受話中の他方のリモコン４では、制御部４１がデータ通信の信号を送信したと判定すると、スピーカ４６からの出力がオフにされ（ステップＳ３８）、スピーカ４６からの音声出力が不可になる。スピーカ４６からの出力オフは、例えば、スピーカ４６の電源を一時的にオフにするか、スピーカ４６の音量を一時的にゼロにすることによって実行される。ステップＳ３７において、制御部４１が、データ通信の信号を送信していないと判定すると、スピーカ４６からの出力がオンにされる（ステップＳ４０）。
【００５７】
受話中の他方のリモコン４では、制御部４１が、データ通信の信号を送信してから所定時間を経過したか否かを判定する（ステップＳ３９）。ステップＳ３９において、所定時間を経過したか否かを判定するときの起点は、データ通信の信号のスタートビットが送信されたときとすることができるが、これに限定されるものではない。また、所定時間は、データ通信の信号を送信し終わるのに要する時間に基づいており、例えば、５０ミリ秒である。所定時間（すなわちスピーカ４６からの出力がオフになっている時間）が、非常に短いので、音声の受話の妨げになることが回避される。
【００５８】
ステップＳ３９において、制御部４１が、所定時間を経過したと判定すると、スピーカ４６からの出力がオンにされ（ステップＳ４０）、スピーカ４６からの音声出力が可能になる。ステップＳ３９において、制御部４１が、所定時間を経過していないと判定すると、ステップＳ３８に進んでスピーカ４６からの出力オフを継続する。
【００５９】
受話中の他方のリモコン４では、スピーカ４６からの音声出力が可能になった状態から、操作部４３の通話ボタンが短押しされるか、通話開始から一定時間が経過すると、制御部４１が通話終了の処理を行う。
【００６０】
上記構成の給湯装置１によれば、制御部４１によって、受話中の他方のリモコン４がデータ信号を受信したときに加えて、受話中の他方のリモコン４がデータ信号を送信したときにも、所定時間にわたって他方のリモコン４のスピーカ４６がオフにされる。したがって、受話中の他方のリモコン４のスピーカ４６から雑音が出力されず、一方のリモコン３及び他方のリモコン４の間で雑音の無い音声通話が可能となる。
【００６１】
この発明の具体的な実施の形態について説明したが、この発明は上記実施形態に限定されるものではなく、この発明の範囲内で種々変更して実施することができる。
【００６２】
上記実施形態において、受話中の他方のリモコン４の制御部４１は、他方のリモコン４の記憶部４５に記憶されているガイダンス音を再生するとき、受話中の他方のリモコン４のスピーカ４６をオフにしないように制御することができる。ガイダンス音が、受話中の他方のリモコン４それ自身に記憶されているため、一方のリモコン３及び他方のリモコン４間での送受話に直接的に関係しないので、音声通話に係る制御が簡略化される。
【００６３】
熱源としてヒートポンプユニットを用いた給湯装置１について説明したが、熱源はこれに限らず、ヒータやボイラーなどの他の熱源により、貯湯ユニットの貯湯タンク内の湯水を沸き上げる構成でもよい。
【００６４】
一方のリモコン３及び他方のリモコン４における、音声通話での送話モードと受話モードとの関係は、上記実施形態と逆にすることができる。
【００６５】
この発明は、データ通信のデジタル変調方式が振幅偏移変調方式（ＡＳＫ）に限定されるものではなく、周波数偏移変調方式（Frequency Shift Keying：ＦＳＫ）、位相偏移変調方式（Phase Shift Keying：ＰＳＫ）などの変調方式にも適用可能である。
【符号の説明】
【００６６】
１  給湯装置
２  給湯器本体
３  一方のリモコン（送話中のリモコン）
４  他方のリモコン（受話中のリモコン）
６  通信回線
３１，４１  制御部
３２，４２  通信部
３３，４３  操作部
３４，４４  表示部
３５，４５  記憶部
３６，４６  スピーカ
３７，４７  マイク
【図１】
2018091520.tif 000003
【図２】
2018091520.tif 000004
【図３】
2018091520.tif 000005